(57)【要約】      （修正有）【課題】優れた自分撮り機能を備えた携帯式電子装置を提供する。【解決手段】携帯式電子装置１００は、互いに対向して配置された第一表面及び第二表面を含む本体部と、本体部内に装着されたカメラ１２と、本体部の第一表面に設けられた主表示パネル１３と、を備える。携帯式電子装置１００は、第二表面に設けられた補助表示パネル１４及び表示制御ユニット１５をさらに備え、表示制御ユニット１５は、カメラ１２、主表示パネル１３及び補助表示パネル１４にそれぞれ電気的に接続されて、カメラ１２が撮影した画像データを受信し、且つ画像データを処理して、処理された後の画像データを主表示パネル１３又は補助表示パネル１４に伝送する。【選択図】図３
0003193964.tif 000002
【実用新案登録請求の範囲】
【請求項１】
互いに対向して配置された第一表面及び第二表面を含む本体部と、前記本体部内に装着されたカメラと、前記本体部の前記第一表面に設けられた主表示パネルと、を備える携帯式電子装置であって、
前記携帯式電子装置は、前記第二表面に設けられた補助表示パネル及び表示制御ユニットをさらに備え、前記表示制御ユニットは、前記カメラ、前記主表示パネル及び前記補助表示パネルにそれぞれ電気的に接続されて、前記カメラが撮影した画像データを受信し、且つ前記画像データを処理して、処理された後の画像データを前記主表示パネル又は前記補助表示パネルに伝送することを特徴とする携帯式電子装置。
【請求項２】
前記表示制御ユニットは、第一表示制御ユニット及び第二表示制御ユニットを含み、前記第一表示制御ユニットは、前記カメラ及び前記主表示パネルに電気的に接続されて、前記カメラが撮影した画像データを受信して、前記画像データを処理して、処理された後の画像データを前記主表示パネルに伝送し、
前記第二表示制御ユニットは、前記カメラ及び前記補助表示パネルにそれぞれ電気的に接続されて、前記カメラが撮影した画像データを受信して、前記画像データを処理して、処理された後の画像データを前記補助表示パネルに伝送することを特徴とする請求項１に記載の携帯式電子装置。
【請求項３】
前記携帯式電子装置は、前記補助表示パネルに電気的に接続された制御スイッチをさらに備え、前記制御スイッチは、ユーザが自分撮りする時に、前記補助表示パネルのオン／オフを制御することを特徴とする請求項１に記載の携帯式電子装置。
【請求項４】
前記携帯式電子装置は、前記主表示パネル及び前記補助表示パネルに電気的に接続された処理ユニットをさらに備え、前記処理ユニットは、前記主表示パネル及び前記補助表示パネルのオン／オフを制御することを特徴とする請求項１に記載の携帯式電子装置。
【請求項５】
前記処理ユニットは、前記主表示パネル及び前記補助表示パネルの中の１つを起動させると共に、他の１つの表示パネルをオフすることを特徴とする請求項４に記載の携帯式電子装置。
【請求項６】
前記携帯式電子装置は、前記処理ユニットに電気的に接続された感知ユニットをさらに備え、前記感知ユニットは、前記主表示パネルがユーザに向いているか又は前記補助表示パネルがユーザに向いているかを感知して判断し、
前記処理ユニットは、ユーザに向いている表示パネルを起動させることを特徴とする請求項５に記載の携帯式電子装置。
【請求項７】
前記携帯式電子装置には、内容共有ボタンがさらに設けられており、前記処理ユニットは、前記主表示パネル又は前記補助表示パネルがオン状態にある時に、前記内容共有ボタンからの操作信号を受信すると、前記主表示パネル及び前記補助表示パネルの中の何れか一方の現在の表示画面の信号を他の画面に同時に伝送してシェアすることを特徴とする請求項６に記載の携帯式電子装置。
【考案の詳細な説明】
【技術分野】
【０００１】
本考案は、携帯式電子装置に関し、特に２つの表示パネルを備える携帯式電子装置に関するものである。
【背景技術】
【０００２】
現在、携帯電話機及びタブレットパソコン等の携帯式電子装置は、それぞれ撮影機能を有する。一般的な携帯式電子装置は、本体部、カメラ及び表示パネルを備える。本体部には、互いに対向する第一表面及び第二表面を備え、この第二表面には光透過孔が設けられている。表示パネルは、本体部の第一表面に設けられている。カメラレンズは、光透過孔に対応するように本体部内に装着されている。撮影する際、ユーザは、携帯式電子装置を手に持ち、カメラレンズを被写体に向ける。この時、表示パネルは、カメラレンズを介してカメラがキャプチャした画像を表示し、ユーザは、ピントを合わせた後、シャッターを押して撮影する。
【０００３】
しかし、ユーザが上記のような携帯式電子装置を使用して自分撮りする際、カメラレンズはユーザに面し、表示パネルはユーザに背面するため、ユーザは表示パネルに映る画像が見えない。従って、自分撮りに不便である。
【考案の概要】
【考案が解決しようとする課題】
【０００４】
本考案は、優れた自分撮り機能を備えた携帯式電子装置を提供することを目的とする。
【課題を解決するための手段】
【０００５】
上記の目的を達成するために、本考案に係る携帯式電子装置は、互いに対向して配置された第一表面及び第二表面を含む本体部と、本体部内に装着されたカメラと、本体部の第一表面に設けられた主表示パネルと、を備える。携帯式電子装置は、第二表面に設けられた補助表示パネル及び表示制御ユニットをさらに備え、表示制御ユニットは、カメラ、主表示パネル及び補助表示パネルにそれぞれ電気的に接続されて、カメラが撮影した画像データを受信し、且つ画像データを処理して、処理された後の画像データを主表示パネル又は補助表示パネルに伝送する。
【考案の効果】
【０００６】
本考案は、携帯式電子装置の背面側におけるカメラレンズの隣に補助表示パネルを設けているため、ユーザが自分撮りする際、補助表示パネルを介してカメラがキャプチャした自分の画像が見えるため、理想的な自分の写真を得ることができる。
【図面の簡単な説明】
【０００７】
【図１】本考案の実施形態に係る携帯式電子装置の斜視図である。
【図２】図１に示した携帯式電子装置を反対側から見た斜視図である。
【図３】図１に示した携帯式電子装置の機能モジュールを示す図である。
【考案を実施するための形態】
【０００８】
図１〜図３に示すように、本考案の実施形態に係る携帯式電子装置１００は、携帯電話機及びタブレットパソコン等である。本実施形態においては、携帯電話機を例として説明する。携帯電話機１００は、本体部１１、カメラ１２、主表示パネル１３、補助表示パネル１４、表示制御ユニット１５、感知ユニット１６、処理ユニット１７、制御スイッチ１８及び内容共有ボタン１９を備える。
【０００９】
本体部１１は、互いに対向して配置された第一表面１１１及び第二表面１１２を備える。本体部１１の第二表面１１２上には、光透過孔１１２１が設けられている。カメラ１２は、本体部１１の内部に固定され、且つカメラレンズ１２ａが光透過孔１１２１に対向して位置する。これにより、カメラ１２は、光透過孔１１２１を介して光線を受けて、撮影することができる。
【００１０】
主表示パネル１３は、本体部１１の第一表面１１１上に設けられている。補助表示パネル１４は、第二表面１１２におけるカメラレンズ１２ａに近い箇所に設けられており、且つ主表示パネル１３の反対側に位置する。主表示パネル１３及び補助表示パネル１４は、それぞれ携帯式電子装置１００の時間、電池の残存量、通信状態、着信未応答通知、画像データ等を表示することができる。
【００１１】
表示制御ユニット１５は、カメラ１２、主表示パネル１３及び補助表示パネル１４にそれぞれ電気的に接続されて、カメラ１２が撮影した画像データを受信し、且つ前記画像データに対して画素の調節、解像度の向上、色補正等の処理を行なって、処理された後の画像データを主表示パネル１３又は補助表示パネル１４に伝送して、主表示パネル１３又は補助表示パネル１４により表示させる。
【００１２】
具体的には、表示制御ユニット１５は、第一表示制御ユニット１５１及び第二表示制御ユニット１５２を含む。第一表示制御ユニット１５１は、カメラ１２及び主表示パネル１３にそれぞれ電気的に接続されて、カメラ１２が撮影した画像データを受信し、且つこの画像データを処理して、処理された後の画像データを主表示パネル１３に伝送する。第二表示制御ユニット１５２は、カメラ１２及び補助表示パネル１４にそれぞれ電気的に接続されて、カメラ１２が撮影した画像データを受信し、且つこの画像データを処理して、処理された後の画像データを補助表示パネル１４に伝送する。
【００１３】
感知ユニット１６は、ユーザの顔を検出することができるセンサであり、本体部１１内に設けられ、処理ユニット１７に電気的に接続されている。感知ユニット１６は、ユーザの顔を検知して、主表示パネル１３がユーザに向いているか又は補助表示パネル１４がユーザに向いているかを確定し、且つその感知結果を処理ユニット１７に伝送する。
【００１４】
処理ユニット１７は、型番がＭＳＭ８２６０、ＭＳＭ８６６０又はＭＳＭ８９３０の処理チップであり、多画面表示機能をサポートでき、且つ感知ユニット１６の感知結果に基づいて、主表示パネル１３及び補助表示パネル１４のオン／オフを制御する。具体的には、処理ユニット１７は、感知ユニット１６が主表示パネル１３はユーザに向いていると判断すると、主表示パネル１３を起動すると共に、補助表示パネル１４をオフする。この時、処理ユニット１７は、時間、電池の残存量、通信状態、着信未応答通知、画像データ等の情報を主表示パネル１３に伝送する。また、処理ユニット１７は、感知ユニット１６が補助表示パネル１４はユーザに向いていると判断すると、補助表示パネル１４を起動すると共に、主表示パネル１３をオフする。この時、処理ユニット１７は、時間、電池の残存量、通信状態、着信未応答通知、画像データ等の情報を補助表示パネル１４に伝送する。また、感知ユニット１６が処理ユニット１７に如何なる感知結果も送信しない場合、処理ユニット１７は、主表示パネル１３を起動し、補助表示パネル１４をオフするのを黙認する。
【００１５】
制御スイッチ１８及び内容共有ボタン１９は、それぞれ携帯式電子装置１００のキーエリアの文字キー又は機能キー（即ち、音量キー、電源キー等）に統合され、制御スイッチ１８は、補助表示パネル１４に電気的に接続されている。ユーザが自分撮りする際は、制御スイッチ１８を介して補助表示パネル１４のオン／オフを制御することができる。１つの表示パネルがオン状態にある場合、処理ユニット１７は、内容共有ボタン１９が生成した操作信号を受信し、且つ前記表示パネルの現在の表示画面を同時に他の１つの表示パネルにシェアする。例えば、主表示パネル１３がオン状態にある場合、処理ユニット１７は、内容共有ボタン１９からの操作信号を受信すると、主表示パネル１３の現在の表示画面を補助表示パネル１４にシェアする。これにより、主表示パネル１３及び補助表示パネル１４は、同じ画面を同時に表示し、携帯式電子装置１００を手に持っている人は他人と表示画面をシェアすることができる。
【００１６】
上記の実施形態から分かるように、ユーザは携帯式電子装置１００を使用して、人物又は風景を撮影する際、カメラレンズ１２ａを被写体にフォーカスして、主表示パネル１３を介して、カメラ１２がキャプチャした画像を確認できるため、シャッターを押すと、理想的な画像を得ることができる。また、ユーザは本考案の携帯式電子装置１００を使用して、自分撮りする際、カメラレンズ１２ａを自分にフォーカスして、制御スイッチ１８を介して補助表示パネル１４を起動する。この時、ユーザは、補助表示パネル１４を介してカメラ１２によりキャプチャされた自分の画像が見えるため、最適な画像を確定できるため、シャッターを押すと、理想的な自分の写真を得ることができる。
【００１７】
また、変形例として、携帯式電子装置１００の処理ユニット１７は、主表示パネル１３及び補助表示パネル１４からユーザまでの距離関係に基づいて、対応する表示パネルを起動し、他の１つの表示パネルをオフすることによって、電力を節約することができる。
【符号の説明】
【００１８】
１００  携帯式電子装置
１１    本体部
１１１  第一表面
１１２  第二表面
１１２１  光透過孔
１２  カメラ
１２ａ  カメラレンズ
１３  主表示パネル
１４  補助表示パネル
１５  表示制御ユニット
１５１  第一表示制御ユニット
１５２  第二表示制御ユニット
１６  感知ユニット
１７  処理ユニット
１８  制御スイッチ
１９  内容共有ボタン
【図１】
0003193964.tif 000003
【図２】
0003193964.tif 000004
【図３】
0003193964.tif 000005